(57)【要約】【課題】  従来は、調査対象のテレビジョン受像機さえ電源オンになっていれば、誰も見る人がいなくても、ビデオメータの記録として残ってしまい、正確なコンテンツの評価が困難である。また、デモグラフィック情報をユーザにより予め登録する必要がある。【解決手段】  携帯無線機１００は、受信した所望のコンテンツを再生して得た再生情報と、コンテンツ再生時の使用形態の情報とを含むコンテンツ再生情報を、事業者ネットワーク３００、インターネット４００を介してマーケティング情報端末２００へ送信する。マーケティング情報端末２００は、コンテンツ再生情報を受信し、受信したこのコンテンツ再生情報を集計して所望のコンテンツの評価の対象となるマーケティング情報を生成する。コンテンツ再生時の使用形態の情報は、開状態か閉状態、移動中か静止状態、主表示部か副表示部、位置情報などにより重み付けした情報である。【選択図】            図１
2005117118.tif 000002
【特許請求の範囲】
【請求項１】
受信した所望のコンテンツを再生して得た再生情報と、コンテンツ再生時の使用形態の情報とを含むコンテンツ再生情報を、通信ネットワークへ送信する携帯無線端末と、
前記通信ネットワークを介して前記コンテンツ再生情報を受信し、受信した該コンテンツ再生情報を集計して前記所望のコンテンツの評価の対象となるマーケティング情報を生成するマーケティング情報端末と
を有することを特徴とするコンテンツ評価システム。
【請求項２】
前記携帯無線端末は、予め指定された所定の時間に、又は前記通信ネットワークを介して前記マーケティング情報端末から送信されたコマンドデータの受信により、前記コンテンツ再生情報を前記通信ネットワークを介して前記マーケティング情報端末へ送信することを特徴とする請求項１記載のコンテンツ評価システム。
【請求項３】
前記所望のコンテンツはテレビジョン放送であり、前記コンテンツ再生情報は、テレビチャンネル情報及び再生時間を含むコンテンツ名、コンテンツ種別、再生時間、再生データ量、コンテンツ受信時の回線速度の少なくとも１つを含むことを特徴とする請求項１記載のコンテンツ評価システム。
【請求項４】
通信ネットワークを介して所望のコンテンツのコンテンツ再生情報をマーケティング情報端末へ送信し、該マーケティング情報端末によりコンテンツ再生情報を集計させて前記所望のコンテンツの評価の対象となるマーケティング情報を生成させるコンテンツ評価システムに用いる携帯無線端末であって、
前記所望のコンテンツを受信するコンテンツ受信手段と、
受信した前記所望のコンテンツを再生して再生情報を得る再生手段と、
前記所望のコンテンツ再生時の使用形態の情報を得る使用形態情報取得手段と、
前記再生情報と前記コンテンツ再生時の使用形態の情報とを含むコンテンツ再生情報を少なくとも格納するメモリ手段と、
前記メモリ手段に格納された前記コンテンツ再生情報を、所定のタイミングで前記通信ネットワークを介して前記マーケティング情報端末へ送信する送信手段と
を有することを特徴とする携帯無線端末。
【請求項５】
前記所望のコンテンツはテレビジョン放送であり、前記コンテンツ再生情報は、チャンネルと番組名からなるコンテンツ名、コンテンツ種別、再生時間、再生データ量、コンテンツ受信時の回線速度の少なくとも１つを含むことを特徴とする請求項４記載の携帯無線端末。
【請求項６】
前記メモリ手段は、利用者の個人情報を予め格納しており、前記送信手段は、該メモリ手段から読み出した前記コンテンツ再生情報と前記個人情報とを併せて送信することを特徴とする請求項４又は５記載の携帯無線端末。
【請求項７】
内側面に各種キーからなる入力部及び送話音声収音用のマイクが少なくとも設けられた第１の筐体部と、内側面に大面積の主表示部及び受話音声、着信音、再生楽音等の発音用のスピーカが少なくとも設けられた第２の筐体部との各一側端部同士がヒンジ部により開閉又は回動自在に結合されており、前記使用形態の情報は、前記第１の筐体部と前記第２の筐体部の内側面同士が離間された開状態で使用したときの方が、前記内側面同士がほぼ密着した閉状態で使用したときに比べて大なる重み付けとされた情報を含むことを特徴とする請求項４又は５記載の携帯無線端末。
【請求項８】
内側面に各種キーからなる入力部及び送話音声収音用のマイクが少なくとも設けられた第１の筐体部と、内側面に大面積の主表示部及び受話音声、着信音、再生楽音等の発音用のスピーカが少なくとも設けられ、かつ、外側面に前記主表示部よりも小面積の副表示部が設けられた第２の筐体部との各一側端部同士がヒンジ部により開閉又は回動自在に結合されており、前記使用形態の情報は、前記主表示部の画像を見る状態で使用したときの方が、前記副表示部の画像を見る状態で使用したときに比べて大なる重み付けとされた情報を含むことを特徴とする請求項４又は５記載の携帯無線端末。
【請求項９】
内側面に各種キーからなる入力部及び送話音声収音用のマイクが少なくとも設けられた第１の筐体部と、内側面に大面積の主表示部及び受話音声、着信音、再生楽音等の発音用のスピーカが少なくとも設けられ、かつ、外側面に前記主表示部よりも小面積の副表示部が設けられた第２の筐体部との各一側端部同士がヒンジ部により開閉又は回動自在に結合されており、前記使用形態の情報は、前記主表示部の画像を見る状態で使用したときの方が、前記副表示部の画像を見る状態で使用したときに比べて大なる重み付けとされた情報を含むことを特徴とする請求項４又は５記載の携帯無線端末。
【請求項１０】
前記再生手段により再生された前記コンテンツ情報を外部に出力する外部出力手段を備えており、前記使用形態の情報は、前記コンテンツ情報を前記外部出力手段により外部へ出力するか否かの情報を含むことを特徴とする請求項４又は５記載の携帯無線端末。  
【請求項１１】
移動しているか静止しているからの検出手段を備えており、前記使用形態の情報は、前記検出手段により静止している状態で前記再生手段により前記コンテンツ情報を再生しているときの方が、移動している状態で再生しているときに比べて大なる重み付けとされた情報を含むことを特徴とする請求項４又は５記載の携帯無線端末。
【請求項１２】
現在の使用位置を測位又は取得する位置情報検出手段を備えており、前記使用形態の情報は、前記位置情報検出手段により検出された現在の使用位置が、宣伝広告対象にどれだけ近い場所にあるかに応じて重み付けされた情報を含むことを特徴とする請求項４又は５記載の携帯無線端末。
【発明の詳細な説明】
【技術分野】
【０００１】
本発明はコンテンツ評価システム及びこれに用いる携帯無線端末に係り、特に携帯電話機等の携帯無線端末が受信したコンテンツ情報をマーケティング情報端末が収集してマーケティング情報を生成してコンテンツを評価するコンテンツ評価システム及びこれに用いる携帯無線端末に関する。
【背景技術】
【０００２】
現在、調査サンプル世帯向けに家庭用テレビジョン受像機内に搭載されたビデオメータを用いて得られたデータを、回線接続されたビデオリサーチ社（登録商標）等の調査会社が集計し、その集計結果を視聴率やメディア接触率等のマーケティング情報として作成して、そのマーケティング情報を所望する企業等からの対価に応じて提供することが行われている。
【０００３】
しかし、近い将来、携帯電話機、ＰＤＡ（personal digital assistants）、カーナビゲーションなどを対象にした移動体向け放送サービス（モバイル放送）の開始などにより、携帯電話機等では簡易動画放送受信（アナログ・デジタル）機能等、デジタルコンテンツを主体とした各種再生機能搭載が一般的になった場合に、メディア接続率や視聴率というマーケティング情報は既存の家庭用テレビジョン受像機のそれとは違ったものになる。また、インターネット上のいわゆるストリーミング配信を利用してテレビジョン番組などを、携帯電話機やパーソナルコンピュータなどの端末へ配信するサービスも知られている。
【０００４】
このような状況下にあって、携帯電話機などの携帯無線端末がテレビジョン放送などで受信するコンテンツの評価として視聴率の調査を行うシステムが従来より知られている（例えば、特許文献１参照）。この特許文献１記載のコンテンツ評価システムでは、ネットワークを介して配信されたネットワーク配信番組を受信するネットワーク配信番組受信装置と、ネットワーク配信番組の視聴率調査を行う視聴率調査装置とからなり、ネットワーク配信番組受信装置が、自己を特定する機器ＩＤとネットワーク配信番組の視聴者を特定するユーザＩＤと、受信したネットワーク配信番組の番組ＩＤとを一定時間毎に視聴率調査装置へ送信し、視聴率調査装置がネットワーク配信番組受信装置から受信した上記の各種ＩＤと、予め登録されている各種ＩＤとに基づいて、ネットワーク配信番組の視聴率調査を行う。ここで、上記のネットワーク配信番組受信装置は、クライアント端末であり、パーソナルコンピュータの他携帯電話機等の携帯無線端末も含まれる。
【０００５】
【特許文献１】特開２００２−３２４０２５号公報
【発明の開示】
【発明が解決しようとする課題】
【０００６】
しかるに、ビデオメータを用いた従来のコンテンツ評価システムでは、同じ世帯の各個人別の調査が可能であるが、調査対象のテレビジョン受像機さえオン（電源オン）になっていれば、誰も見る人がいなくても、また、視聴しているものとして記録されている個人とは別の者が視聴していても、ビデオメータの記録として残ってしまい、正確なコンテンツの評価が困難である。
【０００７】
一方、特許文献１記載の従来のコンテンツ評価システムでは、ネットワーク配信番組受信装置であるクライアント端末の使用形態（例えば、クライアント端末が携帯電話機である場合、その主表示部でコンテンツを表示して視聴したのか、主表示部よりも面積が小である副表示部でコンテンツを表示して視聴したのか、あるいは、ユーザに保持された状態で視聴したのか、載置された状態で視聴したのか等々）に応じた重み付け評価がなされていないため、正確なコンテンツの評価が困難である。また、上記の特許文献１記載の従来のコンテンツ評価システムでは、ユーザの年齢、性別、職業、趣味、年収、住所など番組を使用しているユーザの特徴を表す特徴パラメータ（デモグラフィック情報）を考慮した視聴率調査を行っているが、このデモグラフィック情報はユーザにより予め登録する必要があり、ユーザの操作が煩雑である。
【０００８】
本発明は以上の点に鑑みなされたもので、ユーザによる特徴パラメータの入力等を必要とすることなく、メディア接触率・視聴率に関するマーケティング情報の取得・提供を容易とし得るコンテンツ評価システム及びこれに用いる携帯無線端末を提供することを目的とする。
【０００９】
また、本発明の他の目的は、端末の使用形態に応じた重み付けを行い、重み付けにより利用者のコンテンツ認知度を正確に評価することを可能としたコンテンツ評価システム及びこれに用いる携帯無線端末を提供することにある。
【課題を解決するための手段】
【００１０】
上記の目的を達成するため、第１の発明のコンテンツ評価システムは、受信した所望のコンテンツを再生して得た再生情報と、コンテンツ再生時の使用形態の情報とを含むコンテンツ再生情報を、通信ネットワークへ送信する携帯無線端末と、通信ネットワークを介してコンテンツ再生情報を受信し、受信したこのコンテンツ再生情報を集計して所望のコンテンツの評価の対象となるマーケティング情報を生成するマーケティング情報端末とを有することを特徴とする。この発明では、ユーザによる特徴パラメータの入力等を行うことなく、端末の使用形態の情報を含むコンテンツ再生情報が携帯無線端末からマーケティング情報端末へ送信され、マーケティング情報端末はこのコンテンツ再生情報に基づいてマーケティング情報を生成することができる。
【００１１】
また、上記の目的を達成するため、第２の発明のコンテンツ評価システムは、第１の発明における携帯無線端末が、予め指定された所定の時間に、又は通信ネットワークを介してマーケティング情報端末から送信されたコマンドデータの受信により、コンテンツ再生情報を通信ネットワークを介してマーケティング情報端末へ送信することを特徴とする。この発明では、マーケティング情報端末が自動的に、又は必要に応じて送信したコマンドデータに基づき、携帯無線端末からコンテンツ再生情報を取得することができる。
【００１２】
また、上記の目的を達成するため、第３の発明のコンテンツ評価システムは、第１の発明における所望のコンテンツはテレビジョン放送であり、コンテンツ再生情報は、テレビチャンネル情報及び再生時間を含むコンテンツ名、コンテンツ種別、再生時間、再生データ量、コンテンツ受信時の回線速度の少なくとも１つを含むことを特徴とする。
【００１３】
また、上記の目的を達成するため、第４の発明は、通信ネットワークを介して所望のコンテンツのコンテンツ再生情報をマーケティング情報端末へ送信し、このマーケティング情報端末によりコンテンツ再生情報を集計させて所望のコンテンツの評価の対象となるマーケティング情報を生成させるコンテンツ評価システムに用いる携帯無線端末であって、所望のコンテンツを受信するコンテンツ受信手段と、受信した所望のコンテンツを再生して再生情報を得る再生手段と、所望のコンテンツ再生時の使用形態の情報を得る使用形態情報取得手段と、再生情報とコンテンツ再生時の使用形態の情報とを含むコンテンツ再生情報を少なくとも格納するメモリ手段と、メモリ手段に格納されたコンテンツ再生情報を、所定のタイミングで通信ネットワークを介してマーケティング情報端末へ送信する送信手段とを有することを特徴とする。
【００１４】
この発明では、コンテンツ評価システムに用いる携帯無線端末が、再生情報とコンテンツ再生時の使用形態の情報とを含むコンテンツ再生情報をメモリ手段に格納した後、所定のタイミングで通信ネットワークを介してマーケティング情報端末へ送信するようにしたため、マーケティング情報端末は、携帯無線端末の再生情報とコンテンツ再生時の使用形態とに応じたマーケティング情報を生成することができる。
【００１５】
また、上記の目的を達成するため、第５の発明の携帯無線端末は、第４の発明における所望のコンテンツがテレビジョン放送であり、コンテンツ再生情報が、チャンネルと番組名からなるコンテンツ名、コンテンツ種別、再生時間、再生データ量、コンテンツ受信時の回線速度の少なくとも１つを含むことを特徴とする。
【００１６】
また、第６の発明は、第４の発明のメモリ手段が、利用者の個人情報を予め格納しており、送信手段は、このメモリ手段から読み出したコンテンツ再生情報と個人情報とを併せて送信することを特徴とする。この発明では、コンテンツ再生情報と個人情報とがマーケティング情報端末へ送信されるため、マーケティング情報端末により、個人情報を含めたマーケティング情報を生成させることができる。
【００１７】
また、上記の目的を達成するため、第７の発明の携帯無線端末は、内側面に各種キーからなる入力部及び送話音声収音用のマイクが少なくとも設けられた第１の筐体部と、内側面に大面積の主表示部及び受話音声、着信音、再生楽音等の発音用のスピーカが少なくとも設けられた第２の筐体部との各一側端部同士がヒンジ部により開閉又は回動自在に結合されており、使用形態の情報は、第１の筐体部と第２の筐体部の内側面同士が離間された開状態で使用したときの方が、内側面同士がほぼ密着した閉状態で使用したときに比べて大なる重み付けとされた情報を含むことを特徴とする。
【００１８】
この発明では、携帯無線端末が第１及び第２の筐体部同士が開閉する折り畳み型や回動する回転型等の携帯電話機において、コンテンツ再生時の使用形態の情報として開状態で使用したときの方が閉状態で使用したときに比べて、大なる重み付けされた情報を送信することができる。
【００１９】
また、上記の目的を達成するため、第８の発明では、折り畳み型や回動する回転型等の携帯電話機において、コンテンツ再生時の使用形態の情報として、主表示部の画像を見る状態で使用したときの方が、副表示部の画像を見る状態で使用したときに比べて大なる重み付けとされた情報を送信し、第９の発明では、主表示部の画像を見る状態で使用したときの方が、副表示部の画像を見る状態で使用したときに比べて大なる重み付けとされた情報を含むことを特徴とする。
【００２０】
また、上記の目的を達成するため、第１０の発明の携帯無線端末は、再生手段により再生されたコンテンツ情報を外部に出力する外部出力手段を備えており、使用形態の情報は、コンテンツ情報を外部出力手段により外部へ出力するか否かの情報を含むことを特徴とし、第１１の発明では、移動しているか静止しているからの検出手段を備えており、使用形態の情報は、検出手段により静止している状態で再生手段によりコンテンツ情報を再生しているときの方が、移動している状態で再生しているときに比べて大なる重み付けとされた情報を含むことを特徴とし、第１２の発明では、現在の使用位置を測位又は取得する位置情報検出手段を備えており、使用形態の情報は、位置情報検出手段により検出された現在の使用位置が、宣伝広告対象にどれだけ近い場所にあるかに応じて重み付けされた情報を含むことを特徴とする。
【発明の効果】
【００２１】
本発明のコンテンツ評価システムによれば、ユーザによる特徴パラメータの入力等を行うことなく、端末の使用形態の情報を含むコンテンツ再生情報が携帯無線端末からマーケティング情報端末へ送信され、マーケティング情報端末はこのコンテンツ再生情報に基づいてマーケティング情報を生成するようにしたため、コンテンツ再生機能付きの携帯端末を用いたマーケティング情報取得（コンテンツ評価及び視聴者層の把握）ができ、また端末の使用形態に応じた重み付けにより利用者のコンテンツ認知度を正確に評価することができる。
【００２２】
また、本発明のコンテンツ評価システムに用いる無線携帯端末によれば、再生情報とコンテンツ再生時の使用形態の情報とを含むコンテンツ再生情報をメモリ手段に格納した後、所定のタイミングで通信ネットワークを介してマーケティング情報端末へ送信することにより、マーケティング情報端末が、携帯無線端末の再生情報とコンテンツ再生時の使用形態とに応じたマーケティング情報を生成させるようにしたため、端末の使用形態に応じた重み付けにより利用者のコンテンツ認知度を正確に評価することができる。
【００２３】
また、本発明によれば、コンテンツ再生情報と個人情報とを併せて送信することにより、あるいは携帯電話事業者と共同で実施した場合、ＴＶ視聴の個人が特定でき、企業／広告代理店のターゲットユーザが明確になるので、有効なマーケティング情報（広告・宣伝）として活用できる。
【００２４】
更に、本発明によれば、コンテンツ再生時の使用形態の情報として、携帯無線端末が折り畳み型又は回転型携帯電話機の開状態であるか閉状態であるかに応じて、あるいは、主表示部か副表示部のどちらの画像を見る状態で使用したか、移動中か静止状態でコンテンツを再生したか、宣伝広告対象にどれだけ近い場所にあるかなどに応じて重み付けされた情報を送信するようにしたため、マーケティング情報端末では、使用形態に応じたより正確なマーケティング情報を生成することができる。
【発明を実施するための最良の形態】
【００２５】
次に、本発明を実施するための最良の形態について図面と共に説明する。図１は本発明になるコンテンツ評価システムの一実施の形態のシステム構成図を示す。同図に示すように、本実施の形態のコンテンツ評価システムは、テレビ放送受信機能等のコンテンツ再生機能を備えた携帯無線端末の一例としての複数台の携帯電話機１００が、事業者ネットワーク（携帯電話通信網）３００とインターネット４００を縦続に介してマーケティング情報端末２００に接続された構成である。
【００２６】
図２は本発明になるコンテンツ評価システムに用いる携帯無線端末の一実施の形態のブロック図を示す。図２に示す本実施の形態の携帯無線端末は、図１の携帯電話機１００として用いられる折り畳み型携帯電話機であり、内側面に各種キーからなる入力部１０１及び送話音声収音用のマイク１０２が少なくとも設けられた第１の筐体部と、内側面に大面積の主表示部１０３、及び受話音声、着信音、再生楽音等の発音用のスピーカ１０４が少なくとも設けられ、かつ、外側面に小面積の副表示部１０５が設けられた第２の筐体部とが、その各一側端部同士がヒンジ部により開閉自在に結合されている。
【００２７】
この折り畳み型携帯電話機（携帯電話機１００）では、第１及び第２の筐体部の各内側面が対向して略密接された閉状態のときには、副表示部１０５で表示が行われ、第１及び第２の筐体部の各内側面がヒンジ部を中心として所定角度互いに離間された開状態のときには、主表示部１０３で表示が行われる。
【００２８】
また、例えば第２の筐体部の外側面にカメラ１０６が設けられている。更に、第１の筐体部内又は第２の筐体部内には、事業者ネットワーク（携帯電話通信網）３００を介して各種データの送受信を行う無線部１０７と、全地球測位システム（ＧＰＳ：Global Positioning System）を構成するＧＰＳ衛星（図示せず）から送信された、或いは外部測位検出装置からの位置情報を検出する位置情報検出部１０８と、コンテンツの一例として、テレビ放送を受信する放送受信部１０９と、主表示部１０３及び副表示部１０５の表示を制御する表示制御部１１０と、スピーカ１０４へのコンテンツの再生楽音等の出力を制御し、またマイク１０２からの音声信号を処理する楽音制御部１１１と、カメラ１０６からの撮像信号を処理する撮像処理部１１２と、データ端子１１４に接続された外部機器との接続（有線／無線）を制御する外部接続制御部１１３と、利用者による筐体の保持、或いは机上への載置を光センサ等既知のセンサ１１５により検出する保持載置検出部１１６と、第１及び第２の筐体部の開閉状態を磁気等既知のセンサ１１７により検出する開閉回動検出部１１８と、各種情報を格納するメモリ１１９と、上記の携帯電話機の各部を双方向バス１２１を介して統括的に制御する制御部１２０とが設けられている。
【００２９】
次に、図１及び図２の実施の形態の動作について、図３及び図４のフローチャートを併せ参照して説明する。まず、携帯電話機１００は、受信したコンテンツの一例として、所望チャンネルのディジタルテレビ放送を図２の放送受信部１０９で選局受信し、受信放送信号を制御部１２０の制御の下で表示制御部１１０に供給し、これにより主表示部１０３又は副表示部１０５に画像表示する（図３のステップＳ１１）
受信したテレビ放送信号の再生（表示）が開始されると、制御部１１０は受信放送信号内容であるコンテンツ再生情報のメモリ１１９への記録の開始を指示する（図３のステップＳ１２）。その後、制御部１２０は放送受信の中止により受信再生が終了したかどうか監視しており（図３のステップＳ１３）、受信再生終了と判断すると、コンテンツ再生情報の記録を終了し（図３のステップＳ１４）、例えば、コンテンツ名（チャンネル・番組）、コンテンツ種別（音声／映像／文字）、再生時間（表示時間）、再生データ量、コンテンツ受信時の回線速度などのコンテンツ再生情報をメモリ１１９に格納する（図３のステップＳ１５）。なお、コンテンツ受信時の回線速度は、電波状況が良好で周りに誰も利用していなければ、最大に近くなり、電波状況が悪い場所や空きチャンネルが少ない場所では遅くなるので、どのような電波状況で視聴しているかの情報に用いることができる。
【００３０】
その後、携帯電話機１００の制御部１２０は、内蔵のタイマに基づき予め指定された所定の時間になったか、或いは特殊なコマンドを図１のマーケティング情報端末２００からインターネット４００及び事業者ネットワーク３００を介して図２の無線部１０７が受信したかどうか監視し（図４のステップＳ２１）、指定された所定の時間になった時、又は前記特殊なコマンドを無線部１０７を介して受信すると、前記ステップＳ１５でメモリ１１９に格納したコンテンツ再生情報を、メモリ１１９から読み出して無線部１０７から事業者ネットワーク３００へマーケティング情報端末２００宛てに無線送信する（図４のステップＳ２２）。このコンテンツ再生情報は、図１の事業者ネットワーク３００からインターネット４００を経由してマーケティング情報端末２００で受信される。
【００３１】
このコンテンツ再生情報の送信期間中は、制御部１２０はそのコンテンツ再生情報の送信が終了したか、あるいはマーケティング情報端末２００からインターネット４００及び事業者ネットワーク３００を介して終了コマンドを受信したかどうか監視し（図４のステップＳ２３）、送信完了又は終了コマンドを受信したと判定すると、メモリ１１９に格納されていたコンテンツ再生情報を消去する（図４のステップＳ２４）。これにより、次のメモリ１１９へのコンテンツ再生情報の記録に備える。
【００３２】
マーケティング情報端末２００は、上記のようにして各携帯電話機１００から受信したコンテンツ再生情報を基に統計処理してデータベース化（ＤＢ化）し、視聴率やメディア接触率等のマーケティング情報を生成する。このマーケティング情報は所望する企業等からの対価に応じて提供される。なお、マーケティング情報には、どのような視聴形態で視聴しているのか、どの時間帯で視聴しているのか、どのような年代、性別の視聴者がどの曜日あるいは月で視聴しているかなどの本来の一般的な視聴率調査も含まれる。
【００３３】
なお、上記のステップＳ２２では、コンテンツ再生情報と共に、予めその携帯電話機１００のメモリ１１９に登録されていた利用者（視聴者）の個人情報（性別、年齢、趣味、嗜好など）を併せて送信するようにしてもよい。ただし、利用者の個人情報は、送信しなくても、携帯電話事業者との協業により、携帯電話事業者から得ることもできる。また、携帯電話加入時（機種変更手続き時）に、当該携帯電話機が視聴率調査用（コンテンツ評価用）端末であることを同意した上で、利用者個人に契約してもらい、携帯電話事業者から個人情報を得る方法もある（契約時又は毎月基本料のインセンティブ等により利用者個人の同意を得る）。更に、個人情報の送信がない場合、単純に視聴率という意味での正確な数値を調査することが可能である。携帯電話機でのＴＶ放送再生中につけっ放しで誰も見ていないといった状況は考えにくいからである。
【００３４】
次に、本発明の他の実施の形態について説明する。この実施の形態では、利用者による視聴形態（使用形態）を携帯電話機１００の状態から推定して（携帯電話機１００の状態による重み付けを行い）、マーケティング情報端末２００でのマーケティング情報の生成に反映させるものである。すなわち、使用形態から利用者のコンテンツ認知度を評価し、ただ再生して漫然と見ているだけなのか、熱心に見入っているのかをマーケティング情報の生成に反映させる。
【００３５】
第１の重み付けの例としては、例えば、携帯電話機１００の主表示部１０３と副表示部１０５（主表示部１０３に比べて面積小・機能劣）のいずれで視聴を行ったかを再生情報として記録し、マーケティング情報に反映させる例である。この場合の評価は主表示部１０３で視聴の方が副表示部１０５での視聴よりも、再生情報をより熱心に見入っていると考えられるので大とする。また、主表示部１０３及び副表示部１０５の表示画面が短形状の場合、横長表示部として受信再生したか、縦長表示部として受信再生したかを再生情報として記録し、マーケティング情報に反映させてもよい（この場合の評価は、横長画像での視聴の方が縦長画像での視聴よりも大とする）。
【００３６】
第２の重み付けの例は、例えば、携帯電話機１００の開閉状態（開閉角度）を、センサ１１７及び開閉回動検出部１１８で検出して、マーケティング情報に反映させる例である。この場合の評価は開閉角度大の方が開閉角度小よりも、再生情報をより熱心に見入っていると考えられるので大とする。また、携帯電話機１００が回転型携帯電話機であれば、閉じている状態、開いている状態をマーケティング情報に反映させる。
【００３７】
第３の重み付けの例は、例えば、携帯電話機１００が保持された状態で視聴されたのか、載置された状態で視聴されたのかを、センサ１１５及び保持載置検出部１１６で検出して、再生情報として記録し、マーケティング情報に反映させるものである。この場合の評価は、保持状態での視聴の方が載置状態での視聴よりも、再生情報をより熱心に見入っていると考えられるので大とする。なお、上記のセンサ１１５として、携帯電話機の所定位置に光センサを設けた場合は、その光センサにより机上に載置されているか否かの信号を得ることができる。
【００３８】
第４の重み付けの例は、例えば、携帯電話機１００が移動中の状態で視聴されたのか、静止した状態で視聴されたのかを、センサ１１５及び保持載置検出部１１６で検出して、再生情報として記録し、マーケティング情報に反映させるものである。この場合、センサ１１５として加速度センサを設け、その出力信号により保持載置検出部１１６が移動中であるか静止しているかを検出できる。評価は、静止の状態で視聴された方が、移動中の状態で視聴されたときよりも、再生情報をより熱心に見入っていると考えられるので大とする。
【００３９】
第５の重み付けの例は、例えば、コンテンツ再生時に携帯電話機１００が位置情報検出部１０８により取得した位置情報に基づき、宣伝広告対象に近い場所で視聴しているか否かの情報を再生情報として記録し、マーケティング情報に反映させるものである。この場合の評価は、宣伝広告対象に近い場所での視聴の方が、宣伝広告対象に遠い場所での視聴よりも、再生情報をより熱心に見入っていると考えられるので大とする。
【００４０】
第６の重み付けの例は、例えば、コンテンツ再生したデータを、外部接続制御部１１３からデータ端子１１４を介して外部機器（モニタ、ヘッドフォン等）に出力して再生したか否かを再生情報として記録し、マーケティング情報に反映させるものである。この場合の評価は、外部機器出力での視聴の方が内蔵再生手段での視聴よりも本格的であるので大とする。
【００４１】
このように、本実施の形態によれば、使用形態から利用者のコンテンツ認知度を評価し、ただ再生して漫然と見ているだけなのか、熱心に見入っているのかをマーケティング情報の生成に反映させるようにしたため、より正確なマーケティング情報を得ることができる。すなわち、本実施の形態のマーケティング情報は、一般的なマーケティング情報（性別、年齢、視聴時間帯、視聴コンテンツ等）の他に、コンテンツ再生時の使用形態（センサによってどのようなシチュエーションで視聴しているかの視聴状況）の情報も含まれているため、このマーケティング情報を購入した企業等では、例えば、コマーシャルの最中は移動している場合が多いとか、番組の次週予告編は録画していないとかの状況が分かるため、スポンサーとなる場合はコマーシャルの投入タイミングをずらすとかの対策を講じることができる。
【００４２】
なお、本発明は以上の実施の形態に限定されるものではなく、例えば以上の実施の形態では、折畳み型携帯電話機について説明したが、本発明はこの形状に限定されるものではなく、第１の筐体部が第２の筐体部に対して回転するタイプの携帯電話機、或いは開閉、回転する２軸ヒンジタイプの携帯電話機や、携帯型情報端末であっても本発明を適用できる。
【図面の簡単な説明】
【００４３】
【図１】本発明のコンテンツ評価システムの一実施の形態のシステム構成図である。
【図２】本発明の携帯無線端末の一実施の形態のブロック図である。
【図３】本発明の携帯無線端末によるコンテンツ再生情報格納動作の一例の説明用のフローチャートである。
【図４】本発明の携帯無線端末によるコンテンツ再生情報の送信動作の一例の説明用のフローチャートである。
【符号の説明】
【００４４】
１００  携帯電話機
１０１  入力部
１０２  マイク
１０３  主表示部
１０４  スピーカ
１０５  副表示部
１０６  カメラ
１０７  無線部
１０８  位置情報検出部
１０９  放送受信部
１１０  表示制御部
１１３  外部接続制御部
１１４  データ端子
１１５、１１７  センサ
１１６  保持載置検出部
１１８  開閉回動検出部
１１９  メモリ
１２０  制御部
２００  マーケティング情報端末
３００  事業者ネットワーク（携帯電話通信網）
４００  インターネット
【図１】
2005117118.tif 000003
【図２】
2005117118.tif 000004
【図３】
2005117118.tif 000005
【図４】
2005117118.tif 000006